(57)【要約】【課題】  正規ユーザに対してはコンテンツの使用制限を設けず、不正使用を防止可能なコンテンツ再生装置を提供する。【解決手段】  コンテンツ配信システム１は、コンテンツ配信サーバ２、コンテンツ再生装置３、および携帯端末４によって構成され、コンテンツ配信サーバ２は、ユーザの認証を行い、ダウンロード要求されたコンテンツのコンテンツデータの配信を管理制御し、コンテンツ再生装置３は、入力されるコマンドに従って、コンテンツデータのダウンロード、再生時における復号鍵データの照合、暗号化されたコンテンツデータの復号化を行い、携帯端末４は、コンテンツ再生装置３およびコンテンツ配信サーバ２に対してコンテンツデータのダウンロード、再生、停止等の指示を行う。【選択図】  図１
2005215986.tif 000002
【特許請求の範囲】
【請求項１】
暗号鍵データで暗号化されたコンテンツデータを前記暗号鍵データに対応した復号鍵データで復号化して再生するコンテンツ再生装置であって、
前記暗号化されたコンテンツデータの再生を要求する信号を送出する端末装置と通信可能な第１の通信手段と、
前記暗号化されたコンテンツデータを取り込むコンテンツデータ取込手段と、
前記暗号化されたコンテンツデータと共に供給される前記復号鍵データを取り込む復号鍵データ取込手段と、
再生要求に応じてコンテンツデータを再生する際に、前記復号鍵データ取込手段によって取り込まれた前記復号鍵データと、前記端末装置から供給される復号鍵データとを照合する照合手段と、
両復号鍵データが一致した場合に、当該暗号化されたコンテンツデータを当該復号鍵データで復号化する復号化手段と、
を備えることを特徴とするコンテンツ再生装置。
【請求項２】
前記コンテンツ再生装置は、
複数のコンテンツデータを記憶し、前記端末装置によって指定された特定のコンテンツデータを前記暗号鍵データで暗号化し、前記復号鍵データと共に当該暗号化されたコンテンツデータを前記コンテンツ再生装置へ配信し、前記端末装置にも当該復号鍵データを配信するコンテンツ配信サーバから、ネットワークを介して前記復号鍵データと前記暗号化されたコンテンツデータを受信する第２の通信手段と、
前記第２の通信手段によって受信された前記暗号化されたコンテンツデータを記憶するコンテンツデータ記憶手段と、
前記第２の通信手段によって受信された前記暗号化されたコンテンツデータと共に供給される前記復号鍵データを記憶する復号鍵データ記憶手段と、
を備えることを特徴とする請求項１に記載のコンテンツ再生装置。
【請求項３】
コンテンツデータを再生する際に、前記コンテンツデータ取込手段が前記コンテンツデータ記憶手段から前記暗号化されたコンテンツデータを取り込めず、前記照合手段が前記復号鍵データを照合できなかった場合、
前記第２の通信手段は、当該コンテンツデータの要求を前記コンテンツ配信サーバへ送信し、当該復号鍵データと当該暗号化されたコンテンツデータを受信することを特徴とする請求項２に記載のコンテンツ再生装置。
【発明の詳細な説明】
【技術分野】
【０００１】
本発明は、正規ユーザに対してはコンテンツの使用制限を設けず、不正使用を防止可能なコンテンツ再生装置に関する。
【背景技術】
【０００２】
一般にネットＭＤ（Mini Disc）と呼ばれるコンテンツ再生装置を利用したデジタルコンテンツ配信システムでは、映像や音楽等のデジタルコンテンツは、コンテンツを提供する側のサーバコンピュータからネットワークを介してユーザ側のコンピュータへダウンロードされ、一旦コンピュータ内に保存される。
【０００３】
ユーザのコンピュータに保存されたデジタルコンテンツは、ダウンロードを行ったコンピュータでのみ再生可能であり、また、ダウンロードを行ったコンピュータには、そのコンピュータと接続された専用のコンテンツ再生装置（ネットＭＤプレーヤ等）との間のみでしかチェックインまたはチェックアウトを実行できないような制限が設けられている。
【０００４】
チェックアウトとは、安全な状態で第１世代のコピーが作られる行為を言い、チェックインとは、チェックアウトされた第１世代のコピーを元に戻す行為を言う。代表的なデジタルコンテンツ配信システムであるEMD（Electronic Music Distribution：電子音楽配信）のSDMI（Secure Digital Music Initiative）で提唱される安全なコンテンツの運用基準に準拠すると、１つから最大３つのコンテンツの安全な状態での第１世代のコピーが作られることになる。すなわち、３つのチェックアウトが可能である。
【０００５】
また、ネットワークを利用したデジタルコンテンツ配信システムにおいては、購入時に特定された再生装置にコンテンツをダウンロードし、コンテンツ再生はその特定された再生装置に限定するか、あるいは、コンテンツをダウンロードしたコンピュータやセットトップボックス等のコンテンツを蓄積する装置からチェックインすることによって、コンテンツをポータブルメディアにコピーして再生する方法が一般的である。
【０００６】
また、放送波を利用したコンテンツ配信システムとしては、スクランブルされた番組を受信可能にするために、放送契約時にスクランブル解除のための鍵を携帯電話に伝送しておき、この携帯電話を介して放送受信機に鍵を供給するシステムが提案されている（例えば、特許文献１）。このコンテンツ配信システムでは、自宅以外の場所にある放送受信機であっても、スクランブルを解除して番組を受信し、番組を視聴することが可能となる。
【０００７】
このように著作権法の観点から、コンテンツの使用権または所有権を有する正規ユーザに対して、その使用を一部制限することによって、セキュアな環境を実現している。
【０００８】
当然のことながら、EMDを初めとする高精度デジタルコンテンツを安全に管理するには、再利用に対する配慮が大切ではあるが、コンテンツの複製回数を限定したり、コンテンツ再生装置を限定したりと、正規ユーザに対してその使用を一部制限することは、正規ユーザには不便な場合も多い。この点において従来のコンテンツ配信システムは問題を残していた。
【特許文献１】特開２００１−３４５７６６号公報
【発明の開示】
【発明が解決しようとする課題】
【０００９】
本発明は、コンテンツの正規ユーザに対して利便性をもたらし、コンテンツの不正使用を防止可能なコンテンツ再生装置を提供することを目的とする。
【課題を解決するための手段】
【００１０】
上記目的を達成するために、請求項１に記載のコンテンツ再生装置は、暗号鍵データで暗号化されたコンテンツデータを前記暗号鍵データに対応した復号鍵データで復号化して再生するコンテンツ再生装置であって、前記暗号化されたコンテンツデータを再生しようとするユーザ所有の端末装置と通信可能な第１の通信手段と、前記暗号化されたコンテンツデータを取り込むコンテンツデータ取込手段と、前記暗号化されたコンテンツデータと共に供給される前記復号鍵データを取り込む復号鍵データ取込手段と、コンテンツデータを再生する際に、前記復号鍵データ取込手段によって取り込まれた前記復号鍵データと、当該暗号化されたコンテンツデータの所有権または使用権が発生した際に提供され、当該暗号化されたコンテンツデータの所有権または使用権を有するユーザ所有の端末装置から供給される復号鍵データとを照合する照合手段と、両復号鍵データが一致した場合に、当該暗号化されたコンテンツデータを当該復号鍵データで復号化する復号化手段とを備えることを特徴とする。
【００１１】
また、請求項２に記載のコンテンツ再生装置は、請求項１に記載のコンテンツ再生装置であって、前記コンテンツ再生装置は、複数のコンテンツデータを記憶し、携帯端末によって指定された特定のコンテンツデータを前記暗号鍵データで暗号化し、前記復号鍵データと共に当該暗号化されたコンテンツデータを前記コンテンツ再生装置へ配信し、前記端末装置にも当該復号鍵データを配信するコンテンツ配信サーバから、ネットワークを介して前記復号鍵データと前記暗号化されたコンテンツデータを受信する第２の通信手段と、前記第２の通信手段によって受信された前記暗号化されたコンテンツデータを記憶するコンテンツデータ記憶手段と、前記第２の通信手段によって受信された前記暗号化されたコンテンツデータと共に供給される前記復号鍵データを記憶する復号鍵データ記憶手段とを備えることを特徴とする。
【００１２】
また、請求項３に記載のコンテンツ再生装置は、請求項２に記載のコンテンツ再生装置であって、コンテンツデータを再生する際に、前記コンテンツデータ取込手段が前記コンテンツデータ記憶手段から前記暗号化されたコンテンツデータを取り込めず、前記照合手段が前記復号鍵データを照合できなかった場合、前記第２の通信手段は、当該コンテンツデータの要求を前記コンテンツ配信サーバへ送信し、当該復号鍵データと当該暗号化されたコンテンツデータを受信することを特徴とする。
【発明の効果】
【００１３】
本発明によれば、コンテンツデータは暗号化されており、再生する際に復号鍵データによって認証が行なわれる。この認証によって再生が許可されれば、いずれのコンテンツ再生装置を使って再生可能ではあるが、同じ復号鍵データを所有しない他人は、復号鍵データによる認証で再生が許可されず、そのコンテンツデータを再生できない。従って、正規にコンテンツの使用権または所有権を許諾されたユーザには、いつでもどこでもコンテンツを再生可能という利便性を提供し、また、コンテンツのコピー等、不正な行為を防止することができる。
【発明を実施するための最良の形態】
【００１４】
本発明の実施形態を、図１〜図１７を用いて説明する。
【００１５】
本実施形態におけるコンテンツ配信システム１は、図１に示すように、コンテンツ配信サーバ２、コンテンツ再生装置３、および携帯端末４によって構成され、インターネット等のネットワーク５を介して相互に接続される。また、コンテンツ再生装置３と携帯端末４は、赤外線通信ポート３３，４３を有しており、ネットワーク５を介さずに直接双方向通信を行うことも可能である（詳細については後述）。
【００１６】
コンテンツ配信サーバ２は、コンテンツデータベース６とユーザ情報管理データベース７を備える。コンテンツデータベース６には、複数のコンテンツデータが記憶され、ユーザ情報管理データベース７には、ユーザ管理データ１１とユーザ毎にコンテンツリストデータ１２が記憶される。また、コンテンツ配信サーバ２は、図２に示すように、ユーザ管理部２１、コンテンツ管理部２２、通信部２３、および暗号化部２４を有する。
【００１７】
ユーザ管理部２１は、コンテンツをダウンロードしようとするユーザの認証を行い、ダウンロード要求されたコンテンツのコンテンツデータの配信を管理制御する機能を有する（詳細については後述）。
【００１８】
コンテンツ管理部２２は、所定の条件、またはユーザによって指定される条件に従ってコンテンツデータベース６から条件に該当するコンテンツを抽出して、コンテンツの一覧を作成する機能、ユーザによってダウンロード要求されたコンテンツデータをコンテンツデータベース６から取得して暗号化部２４に供給する機能を有する。
【００１９】
通信部２３は、有線または無線でインターネット等のネットワーク５に接続され、諸データの送受信を行う機能を有する。
【００２０】
暗号化部２４は、ユーザによってダウンロード要求されたコンテンツのコンテンツデータを、そのユーザ所定の暗号鍵の鍵データで暗号化して、通信部２３に供給する機能を有する。
【００２１】
また、ユーザ管理データ１１は、図３に示すように、ユーザ名、ユーザＩＤ、暗号鍵、復号鍵、再生端末ＩＤ、再生端末ＩＤ、メールアドレス、およびコンテンツリストの項目を有するデータテーブルであり、登録ユーザ毎に、ユーザ認証に必要とされるユーザ名とユーザＩＤ、コンテンツを暗号化および復号化するための所定のビット列からなる鍵データ（以降、暗号鍵データまたは復号鍵データと称す）、ダウンロードするコンテンツの送り先（アドレス情報）を示す再生端末ＩＤ、携帯端末４のメールアドレス、およびユーザがダウンロードしたコンテンツの一覧情報を記録するコンテンツリストデータ１２のファイル名がそれぞれの項目に記録される。
【００２２】
再生端末ＩＤは、コンテンツ再生装置３固有に割り当てられる情報であり、例えば、ＩＰアドレスとＭＡＣアドレスのペアからなるデータである。また、鍵データは、暗号化の方式がＩＤＥＡ（International Data Encryption Algorithm）、ＦＥＡＬ（Fast data Encipherment Algorithm）等の共通鍵方式であれば、暗号鍵と復号鍵の項目には同じ鍵データが記録され、ＲＳＡ（Rivest Shamir Adleman）等の公開鍵方式である場合は、暗号鍵の項目には公開鍵の鍵データが記録され、復号鍵の項目には秘密鍵の鍵データが記録される。これら各種鍵データは、ユーザ登録時に各ユーザにユニークな値が設定されることとする。なお、図３に示す暗号鍵と復号鍵の項目値は、所定のビット列を１６進数で表したものである。
【００２３】
また、コンテンツリストデータ１２は、図４に示すように、コンテンツ名、分類、日付、完了フラグ、および回数の項目を有するデータテーブルであり、ユーザ毎に用意される。このコンテンツリストデータ１２には、ユーザがダウンロードを要求したコンテンツのコンテンツ名とその分類（音楽、ビデオ、ゲーム等）、その要求をした日付、ダウンロードが完了したか否かを示すフラグ値、およびダウンロード回数がそれぞれの項目に記録される。
【００２４】
コンテンツ再生装置３は、図５に示すように、主制御部３１、通信部３２、赤外線通信ポート３３、操作スイッチ３４、再生端末ＩＤ記憶部３５、復号鍵記憶部３６、コンテンツ記憶部３７、復号化部３８、およびコンテンツ再生部３９を有する。
【００２５】
主制御部３１は、通信部３２、赤外線通信ポート３３、または操作スイッチ３４から入力されるコマンド（ダウンロード、再生、停止等）に従って、コンテンツデータのダウンロード、再生、停止等を管理制御する機能を有する（詳細については後述）。
【００２６】
通信部３２は、有線または無線でインターネット等のネットワーク５に接続され、諸データの送受信を行う機能を有し、赤外線通信ポート３３は、携帯端末４と赤外線にて双方向通信を行う機能を有する。また操作スイッチ３４は、ユーザの入力操作を受け付ける機能を有する。
【００２７】
再生端末ＩＤ記憶部３５は、コンテンツ再生装置３を識別する再生端末ＩＤを記憶する機能を有する。なお、この再生端末ＩＤは、予めコンテンツ再生装置３に付与されていることとする。
【００２８】
復号鍵記憶部３６は、コンテンツ配信サーバ２へコンテンツのダウンロードを要求した際に返信され、コンテンツ配信サーバ２からダウンロードされ暗号化されているコンテンツデータを復号するための復号鍵データを記憶する機能を有する。
【００２９】
また、コンテンツ記憶部３７は、コンテンツ配信サーバ２からダウンロードされたコンテンツデータを記憶する機能を有する。
【００３０】
この復号鍵記憶部３６とコンテンツ記憶部３７は、実際には、固定式の記憶装置または着脱可能な記録媒体１３を含む記憶装置である。例えば、固定式の記憶装置であれば、復号鍵記憶部３６およびコンテンツ記憶部３７はハードディスク等であり、着脱可能な記録媒体１３を含む記憶装置であれば、フラッシュメモリ、ビデオテープ、ＤＶＤ−Ｒ、ＣＤ−Ｒ、ＭＤ等、着脱可能な記録媒体１３とその記録媒体１３にコンテンツデータを書き込む記録装置とで構成され、コンテンツデータとそのコンテンツデータを復号するための復号鍵データは同一記録媒体１３上の所定の領域に記録される。
【００３１】
復号化部３８は、暗号化されているコンテンツデータを、復号鍵記憶部３６に記録されている所定の復号鍵データで復号し、復号したコンテンツデータをコンテンツ再生部３９に供給する機能を有する。
【００３２】
コンテンツ再生部３９は、復号化されたコンテンツデータを復号して、音声信号および映像信号を出力する機能を有する。
【００３３】
携帯端末４は、図６に示すように、携帯端末制御部４１、無線通信部４２、赤外線通信ポート４３、操作スイッチ４４、再生端末ＩＤ記憶部４５、復号鍵記憶部４６、コンテンツ視聴履歴記憶部４７、およびディスプレイ４８を有する。
【００３４】
携帯端末制御部４１は、ユーザ名とユーザＩＤを記憶し、無線通信部４２、赤外線通信ポート４３、または操作スイッチ４４から入力されるコマンドを認識し、コンテンツ再生装置３およびコンテンツ配信サーバ２に対してコンテンツデータのダウンロード、再生、停止等の指示を行う機能を有する（詳細については後述）。
【００３５】
無線通信部４２は、無線でインターネット等のネットワーク５に接続され、諸データの送受信を行う機能を有し、赤外線通信ポート４３は、コンテンツ再生装置３と赤外線にて双方向通信を行う機能を有する。また操作スイッチ４４は、ユーザの入力操作を受け付ける機能を有する。
【００３６】
再生端末ＩＤ記憶部４５は、コンテンツ再生装置３を識別する再生端末ＩＤを記憶する機能を有する。
【００３７】
復号鍵記憶部４６は、コンテンツ配信サーバ２へコンテンツのダウンロードを要求した際に返信され、暗号化されているコンテンツデータを復号するための復号鍵データを記憶する機能を有する。
【００３８】
コンテンツ視聴履歴記憶部４７は、ダウンロードしたコンテンツを再生した際に作成される視聴履歴情報を記憶する。この視聴履歴情報には、コンテンツをどこまで再生したかを示すインデックス情報や、再生した日時、回数等が記録される。
【００３９】
なお、携帯端末４同士の復号鍵データの送受信はできないこととする。
【００４０】
コンテンツデータは、映画、テレビ番組等のビデオ、音楽、ゲーム等が所定のデータ形式で記録されたデータであり、例えば、コンテンツが映画等のビデオデータであればデータ形式はＭＰＥＧ２（Moving Picture Experts Group phase 2）であり、コンテンツが音楽であればデータ形式はＭＰ３（MPEG Audio Layer-3）である。
【００４１】
また、本実施形態においては、コンテンツ配信サーバ２からコンテンツ再生装置３へのコンテンツデータのダウンロードはＦＴＰ（File Transfer Protocol）の通信規約に従って行われることとし、その他の場合においては、ＨＴＴＰ（HyperText Transfer Protocol）、ＷＡＰ（Wireless Application Protocol）、ＰＯＰ３（Post Office Protocol）、ＩＭＡＰ（Internet Message Access Protocol）、ＳＭＴＰ（Simple Mail Transfer Protocol）等の通信規約に従ってデータ通信が行われることとする。また、コンテンツ再生装置３と携帯端末４の両赤外線通信ポート３３，４３は、ＩｒＤＡ（Infrared Data Association）の仕様に従って、動作するものとする。
【００４２】
なお、以降本実施形態において、必要に応じて便宜的にユーザＡが所有するコンテンツ再生装置３および携帯端末４には符号“ａ”を、同様にユーザＢが所有するコンテンツ再生装置３および携帯端末４には符号“ｂ”を、ユーザＣが所有するコンテンツ再生装置３および携帯端末４には符号“ｃ”をそれぞれ付し、区別することとする。
【００４３】
≪携帯端末４の初期設定≫
携帯端末４の初期設定を行う際の処理について、図７のシーケンス図に基づいて説明する。
【００４４】
まず、コンテンツデータをダウンロードする前の初期設定として、コンテンツ再生装置３の再生端末ＩＤを携帯端末４へ登録する必要がある。この時のコンテンツ再生装置３−携帯端末４間の通信は赤外線通信ポート３３，４３を介して赤外線通信にて行われることとする。なお、赤外線通信を行う際には、コンテンツ再生装置３と携帯端末４の赤外線通信ポート３３，４３が対向するようコンテンツ再生装置３と携帯端末４を配置して使用することは言うまでもない。
【００４５】
ユーザが携帯端末４に対して初期設定の開始を入力すると（ステップＳ０１）、携帯端末４の携帯端末制御部４１は、操作スイッチ４４から入力されたユーザの操作を基に、初期設定開始が要求されたことを認識し、赤外線通信ポート４３を介して再生端末ＩＤの要求信号をコンテンツ再生装置３へ送出する（ステップＳ０２）。
【００４６】
コンテンツ再生装置３の主制御部３１は、赤外線通信ポート３３を介して再生端末ＩＤの要求信号を受信すると（ステップＳ０３）、再生端末ＩＤの要求がされたことを認識し、再生端末ＩＤ記憶部３５に記憶されている再生端末ＩＤ（ＩＰアドレス）を取得し（ステップＳ０４）、赤外線通信ポート３３を介して取得した再生端末ＩＤを示す信号を送出して再生端末ＩＤを携帯端末４へ送出する（ステップＳ０５）。
【００４７】
携帯端末４の携帯端末制御部４１は、赤外線通信ポート４３を介して再生端末ＩＤを示す信号を受信して再生端末ＩＤを取得すると（ステップＳ０６）、取得した再生端末ＩＤを再生端末ＩＤ記憶部４５に保存する（ステップＳ０７）。
【００４８】
このようにして初期設定が行われた後、コンテンツデータをダウンロードすることが可能となる。
【００４９】
≪コンテンツ配信サーバ２から自己のコンテンツ再生装置３へコンテンツデータをダウンロードし、再生する場合≫
次に、コンテンツ配信サーバ２から自己のコンテンツ再生装置３へコンテンツデータをダウンロードし、再生する際の処理について、図８のシーケンス図に基づいて説明する。なお、この実施形態では、ユーザＡが携帯端末４ａを利用して自己のコンテンツ再生装置３ａにコンテンツデータをダウンロードする際の動作を示す。
【００５０】
コンテンツデータをダウンロードする際には、まず、コンテンツ配信サーバ２へログインする。ユーザＡが携帯端末４ａに対してログイン開始の操作を入力すると、携帯端末４ａの携帯端末制御部４１は、操作スイッチ４４から入力されたユーザＡの操作を基に、ログイン開始と選択画面が要求されたことを認識し、無線通信部４２を介して、ユーザＡのユーザ名、ユーザＩＤと共にログインと選択画面の要求をコンテンツ配信サーバ２へ送信する（ステップＳ１１）。
【００５１】
コンテンツ配信サーバ２のユーザ管理部２１は、通信部２３を介してログイン開始と選択画面の要求を受信すると、ログイン開始と選択画面の要求と共に受信したユーザ名とユーザＩＤを基に、ユーザ管理データ１１ベースを参照して、登録されているユーザであるか否か照合を行う。登録されているユーザであれば、ユーザ管理部２１は、通信部２３を介してコンテンツの選択画面データ（例えば、ＨＴＭＬファイル）を携帯端末４ａへ返信する（ステップＳ１２）。
【００５２】
携帯端末４ａの携帯端末制御部４１は、無線通信部４２を介して選択画面データを受信すると、ディスプレイ４８にその選択画面を表示する（ステップＳ１３）。図９〜図１１に、選択画面の表示例を示す。
【００５３】
図９は、ログイン直後におけるコンテンツの選択画面を表示した携帯端末４ａの一例であり、コンテンツとして「音楽」「ビデオ」「ゲーム」等があることが表示されている。図９の画面で、例えば、ユーザＡが「音楽」を選択すると、コンテンツメニュー画面のデータがコンテンツ配信サーバ２から携帯端末４ａへ送信され、図１０に示すコンテンツメニュー画面が携帯端末４ａのディスプレイ４８に表示される。また、図１０の画面で、ユーザが「今週のおすすめ」を選択すると、図１１に示す「今週のおすすめ」の曲一覧画面が携帯端末４ａのディスプレイ４８に表示される。なお、図１０および図１１の画面を表示するための画面データも、ユーザＡの入力に従ってコンテンツ配信サーバ２から携帯端末４ａへ送信されることは言うまでもない。
【００５４】
ここで、例えば、ユーザＡが図１１の曲一覧画面から「Ｒｅｍｅｍｂｅｒ」というコンテンツを選択すると（ステップＳ１４）、携帯端末制御部４１は、操作スイッチ４４から入力されたユーザＡの操作を基に、コンテンツが選択されそのコンテンツのコンテンツ名を取得し、無線通信部４２を介してユーザＡによって選択されたコンテンツのコンテンツ名をコンテンツ配信サーバ２へ送信する。
【００５５】
コンテンツ配信サーバ２のユーザ管理部２１は、通信部２３を介してユーザＡが選択したコンテンツ名を受信すると、ユーザ情報管理データベース７に記録されているコンテンツリストデータ１２を参照して、受信したコンテンツ名を有するコンテンツが既に記録されているか否か、またコンテンツリストデータ１２に記録されていた場合、完了フラグの値がダウンロード完了を示す“１”であるかどうかよって既にダウンロードされたものか否か判定する。選択されたコンテンツがこれまでにダウンロードされたものでなければ（完了フラグの値が“０”）、ユーザ管理部２１は、通信部２３を介して選択画面データを携帯端末４ａへ返信する。携帯端末４ａの携帯端末制御部４１は、無線通信部４２を介して選択画面データを受信すると、ディスプレイ４８にその選択画面を表示する。図１２は、選択されたコンテンツがこれまでにダウンロードされたものではない場合に表示される選択画面（ダウンロード画面）の一例である。
【００５６】
ここで、例えば、ユーザＡが図１２の選択画面から「ダウンロード」を選択すると、携帯端末４ａの携帯端末制御部４１は、操作スイッチ４４から入力されたユーザＡの操作を基に、画面に表示されているコンテンツデータのダウンロード要求がされたことを認識し、無線通信部４２を介して選択されたコンテンツのコンテンツ名と供にダウンロード要求をコンテンツ配信サーバ２とコンテンツ再生装置３へ送信し、さらに復号鍵データの要求をコンテンツ配信サーバ２へ送信する（ステップＳ１５）。
【００５７】
このダウンロード要求の際には、携帯端末制御部４１は、まず、無線通信部４２を介してコンテンツ配信サーバ２とコンテンツ再生装置３ａの両方にＦＴＰのコントロールコネクションを接続し、その後、コンテンツ再生装置３ａへPASVコマンドを送信する。コンテンツ再生装置３ａの主制御部３１は、通信部３２を介してPASVコマンドを受信すると、コンテンツデータを受信するためのＩＰアドレスとポート番号を携帯端末４ａへ通知する（ステップＳ１６）。
【００５８】
一方、コンテンツ配信サーバ２のユーザ管理部２１は、通信部２３を介して復号鍵データの要求を受信すると、ユーザ情報管理データベース７に記録されているユーザ管理データ１１を参照して復号鍵データを取得し、通信部２３を介して携帯端末４ａへ復号鍵データを送信し（ステップＳ１７）、また、ユーザ管理データ１１を参照して暗号鍵データを取得し、コンテンツ管理部２２に選択されたコンテンツ名、復号鍵データおよび暗号鍵データを供給する。コンテンツ管理部２２は、コンテンツ名を基にコンテンツデータベース６からコンテンツデータを取得し、復号鍵データおよび暗号鍵データと共に供給し、暗号化部２４は、暗号鍵データでコンテンツデータを暗号化し（ステップＳ１８）、暗号化されたコンテンツデータと復号鍵データとをユーザ管理部２１に供給する。
【００５９】
携帯端末４ａの携帯端末制御部４１は、無線通信部４２を介して復号鍵データを受信すると、その復号鍵データを復号鍵記憶部４６に保存する（ステップＳ１９）。また、携帯端末制御部４１は、コンテンツ再生装置３からＩＰアドレスとポート番号を受信すると、無線通信部４２を介してコンテンツ配信サーバ２へコンテンツ再生装置３ａのＩＰアドレスとポート番号と共にPORTコマンドを送信し、コンテンツ再生装置３ａ−コンテンツ配信サーバ２間のデータコネクションの接続を要求する（ステップＳ２０）。
【００６０】
コンテンツ配信サーバ２のユーザ管理部２１は、携帯端末４ａからPORTコマンドが送信され、さらにRETRコマンドが送信され、また、携帯端末４ａからコンテンツ再生装置３ａへSTORコマンドが送信され、データコネクションが確立されると、通信部２３を介してコンテンツ再生装置３ａへコンテンツデータと復号鍵データを送信する（ステップＳ２１）。
【００６１】
コンテンツ再生装置３ａの主制御部３１は、通信部３２を介してコンテンツデータと復号鍵データを受信すると、復号鍵データを復号鍵記憶部３６に記録し、暗号化されたコンテンツデータをコンテンツ記憶部３７に記録する（ステップＳ２２）。
【００６２】
また、コンテンツ配信サーバ２のユーザ管理部２１は、コンテンツデータと復号鍵データの送信が終了すると、通信部２３を介して携帯端末４ａへコンテンツデータの送信終了を通知する（ステップＳ２３）。また、ユーザ管理部２１は、ユーザ情報管理データベース７に記憶されているユーザＡ用のコンテンツリストデータ１２に、新たにレコードを追加して、コンテンツ名、日付等、ダウンロードしたコンテンツデータに関する情報を記録する。
【００６３】
コンテンツデータのダウンロードが終了した後、ユーザが図１２の選択画面から「再生」を選択すると（ステップＳ２４）、携帯端末制御部４１は、操作スイッチ４４から入力されたユーザの操作を基に、画面に表示されているコンテンツの再生要求がされたことを認識し、復号鍵記憶部４６から復号鍵データを取得、赤外線通信ポート４３を介して選択されたコンテンツの再生要求と復号鍵の照合要求をコンテンツ再生装置３ａへ送信する（ステップＳ２５）。
【００６４】
コンテンツ再生装置３ａの主制御部３１は、赤外線通信ポート３３を介してコンテンツの再生要求と復号鍵の照合要求を受信すると、復号鍵記憶部３６からコンテンツ配信サーバ２から受信した復号鍵データを取得し、受信した復号鍵データと照合し（ステップＳ２６）、一致するか否か判定する（ステップＳ２７）。
【００６５】
照合した結果、“一致”と判定すると、主制御部３１は、コンテンツ記憶部３７から再生要求されたコンテンツのコンテンツデータを取得し、復号鍵データと共に復号化部３８へ供給し、復号化部３８は、復号鍵データによって供給されたコンテンツデータを復号化する（ステップＳ２８）。復号化部３８は、復号化したコンテンツデータをコンテンツ再生部３９へ供給し、コンテンツ再生部３９は、コンテンツデータを再生、音声信号、映像信号を生成し、出力する（ステップＳ２９）。
【００６６】
ステップＳ２７で、“一致しない”と判定すると、主制御部３１は、選択されたコンテンツを再生できない旨のエラー情報を、復号化部３８およびコンテンツ再生部３９を介して出力する（ステップＳ３０）。このエラー情報は、例えば、ビープ音やエラーメッセージである。
【００６７】
このようにして、コンテンツ配信サーバ２から自己のコンテンツ再生装置３ａへコンテンツデータをダウンロードし、復号鍵データの照合を行うことによって、正規のユーザのみがコンテンツを再生することが可能となる。
【００６８】
≪ダウンロードしたコンテンツデータを他人のコンテンツ再生装置３で再生する場合≫
次に、コンテンツ配信サーバ２からダウンロードしたコンテンツデータを他人のコンテンツ再生装置３で再生する際の処理について、図１３のシーケンス図に基づいて説明する。なお、コンテンツデータおよびそれを復号する復号鍵データはユーザＡ所有のコンテンツ再生装置３ａにてＣＤ−Ｒ等の記録媒体１３に予め記録されており、その記録媒体１３をユーザＢ所有のコンテンツ再生装置３ｂにて再生する場合を想定する。また、図１３のシーケンス図は、コンテンツ再生装置３ｂにコンテンツデータを復号鍵データが記録された記録媒体１３が装着され、図５に示すコンテンツ再生装置３の機能構成が実現された状態とし、上述のステップＳ１１からの処理と同様の手順でログインした後、コンテンツ配信サーバ２から携帯端末４ａへ画面データが送信され、携帯端末４ａのディスプレイ４８には図１４に示すコンテンツメニュー画面が表示されていることとする。
【００６９】
ユーザＡが図１４の選択画面から「ダウンロード履歴」を選択すると、携帯端末４ａの携帯端末制御部４１は、操作スイッチ４４から入力されたユーザの操作を基に、画面に表示されているコンテンツのダウンロード履歴の要求がされたことを認識し、無線通信部４２を介してダウンロード履歴の要求をコンテンツ配信サーバ２へ送信する。
【００７０】
コンテンツ配信サーバ２のユーザ管理部２１は、通信部２３を介してダウンロード履歴の要求を受信すると、ユーザ情報管理データベース７に記録されているコンテンツリストデータ１２を参照して、完了フラグの値がダウンロード完了を示す“１”となっているコンテンツのコンテンツ名を取得し、ダウンロード履歴画面データを作成して、通信部２３を介して携帯端末４ａへ送信する。
【００７１】
携帯端末４ａの携帯端末制御部４１は、無線通信部４２を介してダウンロード履歴画面データを受信すると、ディスプレイ４８にそのダウンロード履歴画面を表示する（ステップＳ３１）。図１５は、これまでにダウンロードされたコンテンツの一覧を表示したダウンロード履歴画面の一例である。
【００７２】
ここで、例えば、ユーザＡが図１５のダウンロード履歴画面から「Ｒｅｍｅｍｂｅｒ」というコンテンツを選択すると、図１６の音楽再生画面がディスプレイ４８に表示される。なお、図１６の画面を表示するための画面データも、ユーザＡの入力に従ってコンテンツ配信サーバ２から携帯端末４ａへ送信されることは言うまでもない。
【００７３】
ここで、ユーザＡが図１６の音楽再生画面から「再生」を選択すると（ステップＳ３２）、携帯端末４ａの携帯端末制御部４１は、操作スイッチ４４から入力されたユーザＡの操作を基に、コンテンツの再生が選択されたことを認識し、復号鍵記憶部４６から選択したコンテンツの復号鍵データを取得、赤外線通信ポート４３を介して選択されたコンテンツの再生要求と復号鍵の照合要求をコンテンツ再生装置３ｂへ送信する（ステップＳ３３）。
【００７４】
コンテンツ再生装置３ｂの主制御部３１は、赤外線通信ポート３３を介してコンテンツの再生要求と復号鍵の照合要求を受信すると、指定されたコンテンツデータを記録媒体１３から取得するタイミングと同時にこの記録媒体１３から復号鍵記憶部３６に記憶された復号鍵データと、受信した復号鍵データと照合し（ステップＳ３４）、一致するか否か判定する（ステップＳ３５）。
【００７５】
照合した結果、“一致”と判定すると、コンテンツ再生装置３ｂの主制御部３１は、コンテンツ記憶部３７から再生要求されたコンテンツのコンテンツデータを取得し、復号鍵データと共に復号化部３８へ供給し、コンテンツ再生装置３ｂの復号化部３８は、復号鍵データによって供給されたコンテンツデータを復号化する（ステップＳ３６）。コンテンツ再生装置３ｂの復号化部３８は、復号化したコンテンツデータをコンテンツ再生部３９へ供給し、コンテンツ再生部３９は、コンテンツデータを再生、音声信号、映像信号を生成し、出力する（ステップＳ３７）。
【００７６】
ここまでは、コンテンツ再生装置３が異なるだけで、上述のユーザ所有のコンテンツ再生装置３で再生する場合と処理は同じである。しかし、ユーザＡによってダウンロードされたコンテンツを他のユーザ（ユーザＢ）が自己のコンテンツ再生装置３で再生しようとすると、以下のような処理が行われる。
【００７７】
ユーザＢが図１４の選択画面から「ダウンロード履歴」を選択すると、携帯端末４ｂの携帯端末制御部４１は、操作スイッチ４４から入力されたユーザの操作を基に、画面に表示されているコンテンツのダウンロード履歴の要求がされたことを認識し、無線通信部４２を介してダウンロード履歴の要求をコンテンツ配信サーバ２へ送信する。
【００７８】
コンテンツ配信サーバ２のユーザ管理部２１は、通信部２３を介してダウンロード履歴の要求を受信すると、ユーザ情報管理データベース７に記録されているコンテンツリストデータ１２を参照して、完了フラグの値がダウンロード完了を示す“１”となっているコンテンツのコンテンツ名を取得し、ダウンロード履歴画面データを作成して、通信部２３を介して携帯端末４ｂへ送信する。
【００７９】
ユーザＡがダウンロードしてコンテンツ記憶部３７内にあるコンテンツデータと全く同じものを、ユーザＢがダウンロードしていなければ、そのコンテンツデータがディスプレイ４８に表示されることはなく、再生することもできないが、仮に全く同じコンテンツデータをダウンロードしていたとする。また、コンテンツ再生装置３ｂのコンテンツ記憶部３７と復号鍵記憶部３６にはユーザＢがダウンロードしたコンテンツデータと復号鍵データは存在しないこととする。
【００８０】
携帯端末４ｂの携帯端末制御部４１は、無線通信部４２を介してダウンロード履歴画面データを受信すると、ディスプレイ４８にそのダウンロード履歴画面を表示する（ステップＳ３８）。図１５は、これまでにダウンロードされたコンテンツの一覧を表示したダウンロード履歴画面の一例である。
【００８１】
ここで、例えば、ユーザＢが図１５のダウンロード履歴画面から「Ｒｅｍｅｍｂｅｒ」というコンテンツを選択すると、図１６の音楽再生画面がディスプレイ４８に表示される。
【００８２】
ここで、ユーザＢが図１６の音楽再生画面から「再生」を選択すると（ステップＳ３９）、携帯端末４ｂの携帯端末制御部４１は、操作スイッチ４４から入力されたユーザＢの操作を基に、コンテンツの再生が選択されたことを認識し、復号鍵記憶部４６から選択したコンテンツの復号鍵データを取得、赤外線通信ポート４３を介して選択されたコンテンツの再生要求と復号鍵の照合要求をコンテンツ再生装置３ｂへ送信する（ステップＳ４０）。
【００８３】
コンテンツ再生装置３ｂの主制御部３１は、赤外線通信ポート３３を介してコンテンツの再生要求と復号鍵の照合要求を受信すると、復号鍵記憶部３６からコンテンツ配信サーバ２から受信した復号鍵データを取得し、受信した復号鍵データと照合し（ステップＳ３４）、一致するか否か判定する（ステップＳ３５）。
【００８４】
復号鍵データは、ユーザ毎に全く異なるビット列で構成されるデータであり、一致することはないので、コンテンツ再生装置３ｂの主制御部３１は、選択されたコンテンツを再生できない旨のエラー情報を、復号化部３８およびコンテンツ再生部３９を介して出力する（ステップＳ４１）。
【００８５】
このように、復号鍵データが一致しない限りは、同じコンテンツデータをダウンロードしていても再生して視聴することはできないことになる。
【００８６】
≪再生を停止する場合≫
また、ユーザＡが図１６の音楽再生画面から「停止」を選択すると（ステップＳ４２）、携帯端末４ａの携帯端末制御部４１は、操作スイッチ４４から入力されたユーザＡの操作を基に、コンテンツの停止が選択されたことを認識し、赤外線通信ポート４３を介して再生中のコンテンツの停止要求をコンテンツ再生装置３ｂへ送信する（ステップＳ４３）。
【００８７】
コンテンツ再生装置３ｂの主制御部３１は、赤外線通信ポート３３を介してコンテンツの停止要求を受信すると、復号化部３８とコンテンツ再生部３９を停止させることによってコンテンツデータの再生を停止する（ステップＳ４４）。再生を停止するとコンテンツ再生装置３ｂのコンテンツ再生部３９は、インデックス情報を主制御部３１へ供給し、主制御部３１は、そのインデックス情報を基に視聴履歴情報を作成し（ステップＳ４５）、赤外線通信ポート３３を介してその視聴履歴情報を携帯端末４ａへ送信する（ステップＳ４６）。
【００８８】
携帯端末４ａの携帯端末制御部４１は、赤外線通信ポート４３を介して視聴履歴情報を受信すると（ステップＳ４７）、コンテンツ視聴履歴情報記憶部にその視聴履歴情報を記録する（ステップＳ４８）。
【００８９】
このように、再生を停止した際に視聴履歴情報を作成しておき、次回同じコンテンツを再生する時には、コンテンツ視聴履歴記憶部４７に記録されている視聴履歴情報のインデックス情報をコンテンツ再生装置３へ送信し、コンテンツ再生装置３は視聴履歴情報のインデックス情報を基に、途中からの再生、または最初からの再生を選択可能にしても良い。
【００９０】
なお、予め携帯端末４ａにダウンロードしたコンテンツ名を記憶しておき、携帯端末制御部４１が各種画面データを作成し、図１４〜図１６の画面をディスプレイ４８に表示するようにしても良い。
【００９１】
また、ステップＳ４２〜ステップＳ４８までの処理は、上述のステップＳ２９以降に再生を停止した際にも同様に携帯端末４ａ−コンテンツ再生装置３ａ間で行われることは言うまでもない。
【００９２】
≪コンテンツ配信サーバ２から他人のコンテンツ再生装置３へ、コンテンツデータをダウンロードする場合≫
次に、コンテンツ配信サーバ２から他人のコンテンツ再生装置３へコンテンツデータをダウンロードする際の処理について、図１７のシーケンス図に基づいて説明する。これは、一旦ダウンロードしたコンテンツデータを再度他人のコンテンツ再生装置３へダウンロードする場合と、他人のコンテンツ再生装置３を利用して、ダウロードしたことのないコンテンツデータを新たにダウロードする場合があるが、この実施形態では、ユーザＡがユーザＣ所有のコンテンツ再生装置３ｃにコンテンツデータを再ダウンロードする場合を想定する。なお、記録媒体１３を用いてのコンテンツデータの移動は含まれないこととする。
【００９３】
まず、ユーザＡが図１４の選択画面から「ダウンロード履歴」を選択すると、携帯端末４ａの携帯端末制御部４１は、操作スイッチ４４から入力されたユーザの操作を基に、画面に表示されているコンテンツのダウンロード履歴の要求がされたことを認識し、無線通信部４２を介してダウンロード履歴の要求をコンテンツ配信サーバ２へ送信する。
【００９４】
コンテンツ配信サーバ２のユーザ管理部２１は、通信部２３を介してダウンロード履歴の要求を受信すると、ユーザ情報管理データベース７に記録されているコンテンツリストデータ１２を参照して、完了フラグの値がダウンロード完了を示す“１”となっているコンテンツのコンテンツ名を取得し、ダウンロード履歴画面データを作成して、通信部２３を介して携帯端末４ａへ送信する。
【００９５】
携帯端末４ａの携帯端末制御部４１は、無線通信部４２を介してダウンロード履歴画面データを受信すると、ディスプレイ４８にそのダウンロード履歴画面を表示する（ステップＳ５１）。図１５は、これまでにダウンロードされたコンテンツの一覧を表示したダウンロード履歴画面の一例である。
【００９６】
ここで、例えば、ユーザＡが図１５のダウンロード履歴画面から「Ｒｅｍｅｍｂｅｒ」というコンテンツを選択すると、図１６の音楽再生画面がディスプレイ４８に表示される。なお、図１６の画面を表示するための画面データも、ユーザＡの入力に従ってコンテンツ配信サーバ２から携帯端末４ａへ送信されることは言うまでもない。
【００９７】
ここで、ユーザＡが図１６の音楽再生画面から「再生」を選択すると（ステップＳ５２）、携帯端末４ａの携帯端末制御部４１は、操作スイッチ４４から入力されたユーザＡの操作を基に、コンテンツの再生が選択されたことを認識し、復号鍵記憶部４６から選択したコンテンツの復号鍵データを取得、赤外線通信ポート４３を介して選択されたコンテンツの再生要求と復号鍵の照合要求をコンテンツ再生装置３ｃへ送信する（ステップＳ５３）。
【００９８】
コンテンツ再生装置３ｃの主制御部３１は、赤外線通信ポート３３を介してコンテンツの再生要求と復号鍵の照合要求を受信すると、復号鍵記憶部３６に記憶されている復号鍵データと、受信した復号鍵データと照合し（ステップＳ５４）、一致するか否か判定する（ステップＳ５５）。
【００９９】
コンテンツ再生装置３ｃの復号鍵記憶部３６にユーザＡの復号鍵データが記憶されており、コンテンツ記憶部３７に指定されたコンテンツデータが記憶されていれば、コンテンツデータが復号化され、再生されるが（ステップＳ５６）、当然のことながら、コンテンツ再生装置３ｃの復号鍵記憶部３６には、ユーザＡの復号鍵データは記憶されておらず、コンテンツデータも記憶されていないので、指定されたコンテンツを再生することはできない。
【０１００】
従って、コンテンツ再生装置３ｃの主制御部３１は、選択されたコンテンツを再生できない旨のエラー情報を、復号化部３８およびコンテンツ再生部３９を介して出力する（ステップＳ５７）。
【０１０１】
ここで、ユーザＡがコンテンツのダウンロードの指示を入力すると（ステップＳ５８）、携帯端末制御部４１は、操作スイッチ４４から入力されたユーザＡの操作を基に、コンテンツのダウンロード要求がされたことを認識し、赤外線通信ポート４３を介して選択されたコンテンツのコンテンツ名、ユーザＡのユーザ名、ユーザＩＤと供にダウンロード要求（復号鍵データの要求も含む）をコンテンツ再生装置３ｃへ送信する（ステップＳ５９）。
【０１０２】
コンテンツ再生装置３ｃの主制御部３１は、赤外線通信ポート３３を介してダウンロード要求を受信すると、通信部３２を介して選択されたコンテンツのコンテンツ名、ユーザＡのユーザ名、ユーザＩＤと供にダウンロード要求（復号鍵データの要求も含む）をコンテンツ配信サーバ２へ送信する（ステップＳ６０）。
【０１０３】
コンテンツ配信サーバ２のユーザ管理部２１は、通信部２３を介してコンテンツデータのダウンロード要求を受信すると、あわせて受信したユーザ名、ユーザＩＤを基にユーザ認証を行う（ステップＳ６１）。
【０１０４】
ユーザ情報管理データベース７のユーザ管理データ１１に受信したユーザ名とユーザＩＤが記録されていれば、コンテンツ配信サーバ２のユーザ管理部２１は、ユーザ情報管理データベース７に記録されているユーザ管理データ１１を参照して復号鍵データおよび暗号鍵データを取得し、コンテンツ管理部２２に選択されたコンテンツ名、復号鍵データおよび暗号鍵データを供給する。コンテンツ管理部２２は、コンテンツ名を基にコンテンツデータベース６からコンテンツデータを取得し、復号鍵データおよび暗号鍵データと共に供給し、暗号化部２４は、暗号鍵データでコンテンツデータを暗号化し（ステップＳ６２）、暗号化されたコンテンツデータと復号鍵データとをユーザ管理部２１に供給する。
【０１０５】
コンテンツ配信サーバ２のユーザ管理部２１は、コンテンツ再生装置３ｃへ通信部２３を介して暗号化されたコンテンツデータと復号鍵データとを送信し（ステップＳ６３）、コンテンツリストデータ１２を更新する。なお、この時のコンテンツデータと復号鍵データのダウンロードはＦＴＰの規約に従って行われることとする。
【０１０６】
また、ユーザ管理部２１は、ユーザ情報管理データベース７に記憶されているユーザＡ用のコンテンツリストデータ１２から、ダウンロードしたコンテンツデータに関する情報が記録されたレコードの回数の項目値を更新する。
【０１０７】
コンテンツ再生装置３ｃの主制御部３１は、通信部３２を介してコンテンツデータと復号鍵データを受信すると、復号鍵データを復号鍵記憶部３６に記録し、暗号化されたコンテンツデータをコンテンツ記憶部３７に記録する（ステップＳ６４）。
【０１０８】
次に、コンテンツ再生装置３の主制御部３１は、先に携帯端末４から受信した復号鍵データとコンテンツ配信サーバ２から受信した復号鍵データを照合し（ステップＳ２６）、一致するか否か判定する。
【０１０９】
照合した結果、“一致”と判定すると、主制御部３１は、コンテンツ記憶部３７から再生要求されたコンテンツのコンテンツデータを取得し、復号鍵データと共に復号化部３８へ供給し、復号化部３８は、復号鍵データによって供給されたコンテンツデータを復号化し、復号化したコンテンツデータをコンテンツ再生部３９へ供給、コンテンツ再生部３９は、コンテンツデータを再生、音声信号、映像信号を生成し、出力する（ステップＳ６６）。
【０１１０】
このようにして、コンテンツデータを他人が所有するコンテンツ再生装置３へダウンロードすることによって、コンテンツを再生することが可能となる。
【０１１１】
なお、コンテンツデータを新たに他人が所有するコンテンツ再生装置３へダウンロードする場合には、ステップＳ５１〜ステップＳ５２の処理に代わって、携帯端末４−コンテンツ配信サーバ２間２でステップＳ１１〜ステップＳ１４の処理が行われる。
【０１１２】
以上説明したように、コンテンツデータをダウンロードする方法としては、携帯端末４からコンテンツ配信サーバ２へ直接ダウンロード要求をする場合と、携帯端末４からコンテンツ再生装置３を介してコンテンツ配信サーバ２へダウンロード要求をする場合とがある。
【０１１３】
コンテンツ配信サーバ２から自己のコンテンツ再生装置３へコンテンツデータをダウンロードし、再生する場合については、携帯端末４からコンテンツ配信サーバ２へ直接ダウンロード要求をする実施形態を示したが、これに限定されるものではなく、ステップＳ５８〜ステップＳ６６の手順で示されるように、コンテンツ再生装置３を介してダウンロード要求をするようにしても良い。
【０１１４】
また、コンテンツ配信サーバ２から他人のコンテンツ再生装置３へ、コンテンツデータをダウンロードする場合については、携帯端末４からコンテンツ再生装置３を介してコンテンツ配信サーバ２へダウンロード要求をする実施形態を示したが、これに限定されるものではなく、ステップＳ１４〜ステップＳ２９の手順で示されるように、携帯端末４からコンテンツ配信サーバ２へ直接ダウンロード要求をするようにしても良い。
【０１１５】
また、上記の実施形態においては、コンテンツ再生装置３の復号鍵記憶部３６に記憶される復号鍵データについて、その存在期間については言及していないが、ユーザが自分の所有するコンテンツ再生装置３にコンテンツデータをダウンロードした場合には、コンテンツ記憶部３７からコンテンツデータが削除されるまで復号鍵データはそのまま復号鍵記憶部３６に記憶されつづけることとし、ユーザが他人の所有するコンテンツ再生装置３にコンテンツデータをダウンロードした場合には、所定の期間経過後、または所定の回数再生後に、復号鍵データは復号鍵記憶部３６から消去されることとする。
【０１１６】
また、上記の実施形態においては、コンテンツ再生装置３と携帯端末４とは赤外線通信ポート３３，４３を利用して通信を行うこととしたが、これに限定されるものではなく、Bluetooth等、短距離の無線通信にて通信を行うようにしても良い。
【０１１７】
また、携帯端末４として図１および図９には携帯電話を示しているが、これに限定されるものではなく、PHS（Personal Handyphone System）、PDA（Personal Digital Assistance）等、図６に示す機能を実現できるものであれば良い。
【図面の簡単な説明】
【０１１８】
【図１】コンテンツ配信システムの構成を示す図である。
【図２】コンテンツ配信サーバの機能構成を示す図である。
【図３】ユーザ管理データを示す図である。
【図４】コンテンツリストデータを示す図である。
【図５】コンテンツ再生装置の機能構成を示す図である。
【図６】携帯端末の機能構成を示す図である。
【図７】初期設定時の処理を示すシーケンス図である。
【図８】コンテンツをダウンロードして再生する際の処理を示すシーケンス図である。
【図９】携帯端末の画面表示例を示す図である。
【図１０】携帯端末の画面表示例を示す図である。
【図１１】携帯端末の画面表示例を示す図である。
【図１２】携帯端末の画面表示例を示す図である。
【図１３】他人のコンテンツ再生装置でコンテンツを再生する際の処理を示すシーケンス図である。
【図１４】携帯端末の画面表示例を示す図である。
【図１５】携帯端末の画面表示例を示す図である。
【図１６】携帯端末の画面表示例を示す図である。
【図１７】他人のコンテンツ再生装置でコンテンツをダウンロードして再生する際の処理を示すシーケンス図である。
【符号の説明】
【０１１９】
１  コンテンツ配信システム
２  コンテンツ配信サーバ
３  コンテンツ再生装置
４  携帯端末
５  ネットワーク
６  コンテンツデータベース
７  ユーザ情報管理データベース
１０  コンテンツデータ
１１  ユーザ管理データ
１２  コンテンツリストデータ
１３  記録媒体
２１  ユーザ管理部
２２  コンテンツ管理部
２３  通信部
２４  暗号化部
３１  主制御部
３２  通信部
３３  赤外線通信ポート
３４  操作スイッチ
３５  再生端末ＩＤ記憶部
３６  復号鍵記憶部
３７  コンテンツ記憶部
３８  復号化部
３９  コンテンツ再生部
４１  携帯端末制御部
４２  無線通信部
４３  赤外線通信ポート
４４  操作スイッチ
４５  再生端末ＩＤ記憶部
４６  復号鍵記憶部
４７  コンテンツ視聴履歴記憶部
４８  ディスプレイ
【図１】
2005215986.tif 000003
【図２】
2005215986.tif 000004
【図３】
2005215986.tif 000005
【図４】
2005215986.tif 000006
【図５】
2005215986.tif 000007
【図６】
2005215986.tif 000008
【図７】
2005215986.tif 000009
【図８】
2005215986.tif 000010
【図９】
2005215986.tif 000011
【図１０】
2005215986.tif 000012
【図１１】
2005215986.tif 000013
【図１２】
2005215986.tif 000014
【図１３】
2005215986.tif 000015
【図１４】
2005215986.tif 000016
【図１５】
2005215986.tif 000017
【図１６】
2005215986.tif 000018
【図１７】
2005215986.tif 000019